(57)【特許請求の範囲】
【請求項１】
番組の開始時刻が設定されることにより予約可能な入力手段と、
ＤＡＢ受信機により番組を受信する受信手段と、
受信する番組を切り替える番組切り替え手段と、
予約した番組に切り替えられる直前に受信されていた番組のＩＤを記憶する記憶手段とを備え、
前記受信手段により受信される番組は、前記番組切り替え手段により、現在時刻が予約した番組の開始時刻になると予約した番組に自動的に切り替えられ、現在時刻があらかじめ設定された番組終了時刻となると、前記記憶手段に記憶していた番組のＩＤに応じた番組に自動的に切り替えられることを特徴とするＤＡＢ受信システム。
【請求項２】
ディスプレイに予約番組の開始時刻となったことを表示する手段を具備する請求項１に記載のＤＡＢ受信システム。
【請求項３】
音声で予約番組の開始時刻となったことを知らせる手段を具備する請求項１に記載のＤＡＢ受信システム。
【請求項４】
ディジタル信号として受信した番組を記録装置に記録する手段を具備する請求項１から３のいずれか１項に記載のＤＡＢ受信システム。
【請求項５】
ディジタル信号として受信した番組をアナログ信号に変換する手段と、アナログ信号を記録装置に記録する手段を具備する請求項１から３のいずれか１項に記載のＤＡＢ受信システム。
【発明の詳細な説明】
【０００１】
【発明の属する技術分野】
本発明は、ＤＡＢ受信システム（ＤＡＢ：ディジタルオーディオ放送、Digital Audio Broadcasting）に関するものである。
【０００２】
【従来の技術】
最近、アナログ信号による放送に代わってディジタル信号を用いたＤＡＢシステムが実用化されてきている。
【０００３】
【発明が解決しようとする課題】
従来、ＤＡＢ受信システムにおいては、希望する番組の開始時刻が来ると、ユーザが手動操作をして希望の番組の受信を行っていた。また、ＤＡＢでは、受信中にＤＡＢ波が劣化すると良好な出力が得られなくなるが、この場合も、ユーザが手動操作により他のメディアへの切替えを行っていた。
【０００４】
本発明は、ＤＡＢ受信システムを改良することにより、ＤＡＢ受信システムによる自動制御を進めることにより、ユーザによる操作を少なくすることを目的とするものである。
【０００５】
【課題を解決するための手段】
本発明は、上記目的を達成するため、番組の開始時刻が設定されることにより予約可能な入力手段と、ＤＡＢ受信機により番組を受信する受信手段と、予約した番組に切り替えられる直前に受信されていた番組のＩＤを記憶する記憶手段とを備える。
【０００６】
そして、前記受信手段により受信される番組は、前記番組切り替え手段により、現在時刻が予約した番組の開始時刻になると予約した番組に自動的に切り替えられ、現在時刻があらかじめ設定された番組終了時刻となると、前記記憶手段に記憶していた番組のＩＤに応じた番組に自動的に切り替えられる。
【０００７】
本発明によれば、ＤＡＢ受信システムにおいて、番組の予約が可能となり、予約番組の開始時刻となると、自動的に番組が終了される。また、番組が終了すると、予約開始時刻の直前に受信していた番組のＩＤに対応した番組に自動的に切り替えることができる。
【０００８】
【発明の実施の形態】
図１は、本発明が適用されたＤＡＢ受信システムの回路図である。
図において、１はＤＡＢ受信機で、アンテナ２に接続されたＲＦ受信部３と、ＦＦＴ復調部４と、誤り訂正復号部５と、オーディオデコード部６と、Ｄ／Ａ変換器７を有し、Ｄ／Ａ変換器７の出力は、増幅器８を介してスピーカ９，１０に接続される。ＤＡＢ受信機１は、更に、ＲＦ受信部３、ＦＦＴ復調部４、誤り訂正復号部５、オーディオデコード部６に接続されたＣＰＵ１１を有し、ＣＰＵ１１はメモリ１２と、ユーザインターフェース１３と接続される。以上のＤＡＢ受信機１の回路構成は良く知られたものであるので、ここでの詳細な説明は省略する。
【０００９】
本実施例においては、Ｄ／Ａ変換器７と増幅器８との間に第１の切替器２１及び第２の切替器２２が挿入される。第１の切替器２１は、ＤＡＢ受信機１のＤ／Ａ変換器７の出力と、他のメディアのＣＤプレーヤ２３、ＤＡＴ２６、カセットレコーダ２４を切り替えて、増幅器８側に出力する。第２の切替器２２は、ＤＡＢ受信機１のＤ／Ａ変換器７の出力を、増幅器８又はカセットレコーダ２４のいずれかに切り替えて出力する。
【００１０】
さらに、オーディオデコード部６とＤ／Ａ変換器７の間に第１のスイッチ２５が接続され、誤り訂正復号部５とオーディオデコード部６との間に第２のスイッチ２７が接続される。この第１のスイッチ２５と第２のスイッチ２７の出力とＣＰＵ１１の情報出力がＤＡＴ２６に入力される。また、ＣＤプレーヤ２３、ＤＡＴ２６、カセットレコーダ２４に対する起動命令がＣＰＵ１１から出力される。
【００１１】
次に、図１のＤＡＢ受信システムの動作について説明する。
図２は、予約動作を可能とするために必要なデータの蓄積動作を示すフローチャート、図３は、予約を実行する動作を示すフローチャート、図４は、予約設定後のＤＡＢ受信システムの動作を示すフローチャートである。
図２のフローチャートに示す動作は、ＤＡＢ受信システムのメインスイッチ（図１では図示省略）がオンされると、ＣＰＵ１１における初期設定動作の一部として実行される。ステップＳ１１でＤＡＢを受信し、ステップＳ１２で、そのデータ中から番組情報を取り出す。この番組情報中には、予め、予約に必要な、今後放送される番組名、開始時刻などを含ませる。なお、この番組情報は、ＤＡＢデータの中の「Program Number」を利用するか、これとは別に、各番組のＩＤと開始時刻、終了時刻が対になったデータを送信するようにしても良い。ステップＳ１２では、番組情報中から、番組のＩＤ、開始時刻、終了時刻など予約に必要な情報を取り出す。ステップＳ１３で、取り出した情報をメモリ１２に蓄積する。
【００１２】
図３に、予約動作の実行動作を示す。なお、本フロー及び以下の説明で使用するフローは、ＣＰＵ１１のメインループ中に含まれるものである。
ユーザは、予約を開始しようとするとき、ユーザインターフェース１３において、予約ボタンなどの所定のボタンを操作する。この予約開始動作があると、ステップＳ２１からステップＳ２２へ進み、メモリ１１から番組表が取り出されて、ユーザインターフェース１３に表示される。ユーザは、この表示を見て、予約したい番組名、開始時刻などをユーザインターフェース１３から入力する（ステップＳ２３）。
【００１３】
なお、このステップＳ２３で、ユーザが入力する事項としては、上記の番組名と開始時刻の外に、種々の事項を設定することができる。例えば、終了時刻の設定、予約設定後にＤＡＢ受信システムを待機状態とするか否かの設定ができる。また、開始時刻が来たときに、予約した番組を直接スピーカ９，１０から出力するか、或いは、音声、ビープ音、画面表示などにより開始時刻が来たことをユーザに知らせるかという設定もできる。さらに、開始時刻が来たとき、ＤＡＢの番組を出力させる代わりに、カセットレコーダ２４又はＤＡＴ２６に番組を記録することを設定することもできる。
【００１４】
これらの設定されたデータは、メモリ１２に記録される（ステップＳ２４）。なお、番組名は、番組ＩＤに変換された後、記録される。そして、上記ステップＳ２３において、待機状態とすることの設定がされているか否かがチェックされ、設定されていなければ、ディスプレイ等を予約開始前の状態に戻し、設定されていれば、ＤＡＢ受信システム１を待機状態とする（ステップＳ２６）。
【００１５】
なお、本例における待機状態（スリープモード）は、ＲＦ受信部３、ＦＦＴ復調部４、誤り訂正復号部５のみがオンとされ、ＣＰＵ１１は、ＦＩＣのみを受信及び解析をして、予約番組開始のための時刻情報を得る。また、待機状態の他の例としては、ＣＰＵ１１のみ起動しておき、外部の時計（例えば、自動車のクロック）から時刻情報を得るようにすることもできる。そして、予約時刻が来ると、ＣＰＵ１１は周辺装置の電源をオンとして待機状態を解消する。このように、予約入力後にシステムを待機状態とすることにより、電力消費を抑えることが可能となる。
【００１６】
図４は、図３の予約設定後に予約されたＤＡＢの出力に至る動作を示すものである。
ステップＳ３１で、禁止スイッチがオンであるか否かがチェックされる。この禁止スイッチは、図１のユーザインターフェース１３に取り付けられる。この禁止スイッチは、予約時刻が来てもＤＡＢへの切替えをしないというとき、例えば、現在聞いているＣＤを中断したくないといった場合にオンとされる。このステップＳ３１で、禁止スイッチがオンだと判定されると、以下の図４に示す処理はスキップされる。
【００１７】
ステップＳ３１で禁止スイッチがオフの場合、ステップＳ３２で、メモリ１２から予約時刻が取り出され、ステップＳ３３で、ＤＡＢで受信したデータから現在時刻が取り出される。そして、ステップＳ３４で、現在時刻が予約開始時刻になったか否かが判定され、ステップＳ３５で、現在時刻が予約終了時刻になったか否かが判定される。
【００１８】
現在時刻が予約開始時刻になると、ステップＳ３４からステップＳ３６へ進み、現在（開始時刻前）出力している番組又はメディアをメモリ１２に記録する。現在ＤＡＢの番組が出力されているときは、番組のＩＤ名を記録し、他のメディア、例えばＣＤプレーヤ２２から出力されているときは、ＣＤプレーヤ２２がメディアであることを記録する。現在出力されているものがなかった場合は、メモリ１２に記録はされない。そして、ステップＳ３７で、予約したＤＡＢを開始する。このＤＡＢの開始には、ＣＰＵ１１は周辺機器をオンとした後、切替器２１をＤＡＢ側に切り替え、現在受信中（復号中）の番組から予約された番組に切り替えられ、ＤＡＢの受信及び出力が開始される。
【００１９】
なお、このＤＡＢの受信及び出力は、以下のように変形可能である。
前述の図３における予約設定操作（ステップＳ２３）において、ユーザにより、ＤＡＢ開始の代わりに、音声案内、ビープ音、又は画面表示が設定されていたときは、予約された番組への自動切り替えが停止される。そして、メモリ１２に蓄積されていたデータが取り出され、音声化されてスピーカ９，１０から音声又はビープ音が出力される。又は、文字化されてユーザインターフェース１３にあるディスプレイの画面上に案内が表示される。ユーザは、これらの表示があったときは、必要により、手動操作で予約番組の受信及び出力をさせる。なお、音声又はビープ音による案内は、ドライバーがディスプレイを見ることができない状況でも通知できるという利点がある。
【００２０】
さらに、前述の図３における予約設定操作（ステップＳ２３）において、ＤＡＢの番組を出力する代わりに、番組を記録することが設定されている場合は、第２の切替器２２がカセットレコーダ２４側に切り替えられ、カセットレコーダ２４が起動される。これにより、ＤＡＢの出力がアナログ信号でカセットレコーダ２４に記録される。
【００２１】
また、前述の図３における予約設定操作（ステップＳ２３）において、番組の記録方法として、ディジタル信号での記録が指定されていた場合は、第１のスイッチ２５がオンとされ、ＤＡＴが起動されて、オーディオデコード部６の出力がディジタル信号でＤＡＴ２６に記録される。なお、この場合は、記録と同時にＤＡＢの番組がスピーカ９，１０から出力されるが、第１のスイッチ２５を第２の切替器２２と同様に構成することにより、ＤＡＢの番組の出力を停止して記録をするようにすることもできる。逆に、第２の切替器２２を第１のスイッチ２５と同様に構成することにより、アナログ信号をカセットレコーダ２４に記録しながら、ＤＡＢの番組をスピーカ９，１０から出力させることもできる。
【００２２】
なお、カセットレコーダ２４による記録は安価に行え、ＤＡＴ２６による記録は、ノイズの影響を受けないため良好な音質の記録ができるという利点がある。また、ＤＡＴ２６によりディジタル信号を記録する際に、番組内容を記録するだけでなく、オーディオデコード部６から出力されるＰＡＤ(Program Associated Data) を同時に記録するようにすることもできる。このＰＡＤを付加して記録することにより、記録した音声データの素性を後で調べることができるようになる。
【００２３】
さらに、誤り訂正復号部５とオーディオデコード部６の間に接続された第２のスイッチ２７をオンとし、ＤＡＴ２６を起動することにより、ＤＡＴ２６において、エンコードされたオーディオエンコードデータを記録するようにすることもできる。この場合、ＭＰＥＧのデータを記録するため、記録容量が少なくて済むという利点がある。
【００２４】
また、ディジタル信号で記録する際に、その番組の先頭にＣＰＵ１１から番組情報（時刻、日付など）を記録することができる。これにより、記録時の情報を後で検索することができるので、これをインデックスとして使用することができる。
以上のようにして、ＤＡＢの番組の出力又は記録が開始された後、予約終了時刻が設定されているときは、現在時刻がこの予約終了時刻になると、ステップＳ３５からステップＳ３８へ進み、ＤＡＢ受信機をオフとしてＤＡＢ番組の出力を終了する。なお、番組の記録などが設定されているときは、これらの記録が停止される。
【００２５】
次いで、ステップＳ３９で、予約番組の開始前に出力されていた番組又はメディアが、メモリ１２に記録されているか否かが判定される。そして、記録されていたときは、ステップＳ４０で、メモリ１２に記録してある番組ＩＤに切り替えられるか、又は、図１の切替器２１を他のメディアに切り替えて、元のＤＡＢ番組の出力又は他のメディアの出力を行う。メモリ１２に記録されていなければ装置の停止をする。このようにすることで、予約番組の終了後に手動で他の番組又は他のメディアへの切替えをしなくとも済むようになる。
【００２６】
なお、ステップＳ３９と４０を省略して、予約終了後は全ての場合に装置を停止することもできる。
図５は、本発明が適用されたＤＡＢ受信システムの第２の例の回路図である。
図５において、図１における各部分と同一機能を有するものには、同一符号を付して、重複する説明を省略する。
【００２７】
ＤＡＢ波の受信状況を検出するための受信状況取得部３１が設けられ、その出力がＣＰＵ１１に入力される。ＣＰＵ１１は、受信状況取得部３１の出力に応じて、第１の切替器２１の切り替えと、他のメディアとしてのＣＤプレーヤ２３の起動停止を制御する。また、ＣＰＵ１１の出力側には、禁止スイッチ３２が挿入される。
【００２８】
図６、図７、図８に、受信状況取得部３１の構成例を示す。
図６に示す受信状況取得部３１は、ＲＦ受信部３からＳレベル（信号レベル）を取り出し、ローパスフィルタ３３を通して比較器３４の一方の入力端子に入力する。比較器３４の他の入力端子には、基準値となる電圧３６が入力されている。この例によれば、ＤＡＢ波が劣化して信号レベルが一定値以下に低下すると比較器３４から信号が出力される。
【００２９】
図７に示す受信状況取得部３１は、誤り訂正復号部５からエラーフラグを取り出し、積分回路３５を通して比較器３４の一方の入力端子に入力する。この例によれば、ＤＡＢ波が劣化してエラーが所定時間以上継続すると、比較器３４から信号が出力される。
図８に示す受信状況取得部３１はＣＰＵ１１内部に形成される。この受信状況取得部３１は、オーディオデコード部５のオーディオフレーム中のＣＲＣチェックを行い、ＤＡＢ波が劣化して単位時間でのエラー数がしきい値を超えた場合、ＤＡＢ波が劣化したと判定する。
【００３０】
図６〜８の受信状況取得部３１から信号が出力されると、図５のＣＰＵ１１は、ＤＡＢ波が劣化したと判定して、第１の切替器２１をＣＤプレーヤ２４側に切り替え、ＣＤプレーヤ２４を起動させる。したがって、ＤＡＢ波の劣化により良好な受信ができなくなると、ＣＤプレーヤ２４に自動的に切り替えられるので、ユーザは他のメディアに切り替える手間を省くことができる。なお、ＣＤプレーヤ２４以外の他のメディアも使用できる。
【００３１】
また、本例においては、ＤＡＢの受信状況が劣化しても他のメディアに切り替えたくない場合には、禁止スイッチ３２をオンとすることにより、第１の切替器２１の切替え及びＣＤプレーヤ２４の起動を禁止してＤＡＢを継続して出力させることができる。このように、禁止スイッチ３２を設けることにより、ユーザの選択肢を広げることができる。
【図面の簡単な説明】
【図１】本発明の第１の実施形態のＤＡＢ受信システムを示すブロック図。
【図２】図１のシステムの予約データ蓄積動作を示すフローチャート。
【図３】図１のシステムの予約設定動作を示すフローチャート。
【図４】図１のシステムの予約実行動作を示すフローチャート。
【図５】本発明の第２の実施形態のＤＡＢ受信システムを示すブロック図。
【図６】図５で使用される受信状況取得部の第１の構成例を示すブロック図。
【図７】図５で使用される受信状況取得部の第２の構成例を示すブロック図。
【図８】図５で使用される受信状況取得部の第３の構成例を示すブロック図。
【符号の説明】
１…ＤＡＢ受信システム
３…ＲＦ受信部
４…ＦＦＴ復調部
５…誤り訂正復号部
６…オーディオデコード部
７…Ｄ／Ａ変換部
８…増幅器
９，１０…スピーカ
１１…ＣＰＵ
１２…メモリ
１３…ユーザインターフェース
２１，２２…切替器
２３…ＣＤプレーヤ
２４…カセットレコーダ
２５，２７…スイッチ
２６…ＤＡＴ
３１…受信状況取得部
３３…ローパスフィルタ
３４…比較器
３５…積分回路
【図１】
0003775888.tif 000002
【図２】
0003775888.tif 000003
【図３】
0003775888.tif 000004
【図４】
0003775888.tif 000005
【図５】
0003775888.tif 000006
【図６】
0003775888.tif 000007
【図７】
0003775888.tif 000008
【図８】
0003775888.tif 000009